(57)【特許請求の範囲】
【請求項１】
座体を横向きの着座状態から、その前端が上方を向く縦向きの起立状態に回動可能に脚体における枢軸に枢支した椅子において、
座体の下面後部に、座体の起立状態において、下方及び後方に開口する左右方向の溝部を設け、この溝部を第１手掛部としたことを特徴とする椅子。
【請求項２】
第１手掛部を、座体の下面後部を、後方視において下向きに突出する弓状に形成するとともに、この下面が弓状に形成された後部に、座体の起立状態において、下方および後方に開口する溝部を設けることにより形成した請求項１記載の椅子。
【請求項３】
座体の下面前部を下方へ突出させ、この突出部における下面後部に、座体の起立状態において、前下方に開口する第２手掛部を設けた請求項１または２記載の椅子。
【請求項４】
座体の下面前部における突出部の下面を、下方へ最も突出する部位から後方に向けて漸次上昇するように形成し、この漸次上昇する下面に、第２手掛部を形成した請求項３記載の椅子。
【請求項５】
座体を、座本体と、この座本体の下面を覆う座下面カバーとを備えるものとし、前記座下面カバーに第１手掛部または第２手掛部を形成した請求項１〜４のいずれかに記載の椅子。
【発明の詳細な説明】
【技術分野】
【０００１】
本発明は、座体を横向きの着座状態から、その前端が上方を向く縦向きの起立状態に回動可能にした椅子に関し、特に外観上の美観を損なうことなく、持ち運びを容易とした椅子に関する。
【背景技術】
【０００２】
座体を回動可能にした椅子は公知である（たとえば特許文献１）。しかし、この椅子を、起立状態にして持ち運ぼうとした場合、手掛部が設けられていないため、たとえば座体の後端などに手を掛けて持ち運ぶしかない。
【０００３】
しかし、座体の後部は、手掛部とすることを想定して設計されていないため、必ずしも持ち易いとは言えないばかりか、場合によっては、手をはさんだりする虞がある。
【０００４】
また、座体の下面に、起立状態にしたときに前方が開口された凹部を設けて、これを手掛部とすることも考えられるが、この凹部が着座状態にしたときに、前方から見える虞があり、美観を損なう原因ともなる。
【特許文献１】特開２００５−２１８５３４号公報
【発明の開示】
【発明が解決しようとする課題】
【０００５】
本発明は、前記の現状に鑑み、座体を横向きの着座状態から、その前端が上方を向く縦向きの起立状態に回動可能にした椅子において、外観上の美観を損なうことなく、持ち運びを容易とした椅子を提供することを目的とし、併せて好ましい態様においては、座体を起立状態から着座状態に回動させる際の操作が容易な椅子を提供することを目的とする。
【課題を解決するための手段】
【０００６】
本発明によると、上記課題は、下記の構成を備える発明によって解決される。
（１）座体を横向きの着座状態から、その前端が上方を向く縦向きの起立状態に回動可能に脚体における枢軸に枢支した椅子において、座体の後部に、起立状態において、少なくとも下方に開口する第１手掛部を設けたことを特徴とする椅子とする。
【０００７】
（２）上記(１)項において、第１手掛部を、座体の下面後部に、座体の起立状態において、下方及び後方に開口する左右方向の溝部を設けることにより形成する。
【０００８】
（３）上記(２)項において、第１手掛部を、座体の下面後部を、後方視において下向きに突出する弓状に形成するとともに、この下面が弓状に形成された後部に、座体の起立状態において、下方および後方に開口する溝部を設けることにより形成する。
【０００９】
（４）上記(１)項〜(３)項のいずれかにおいて、座体の下面前部を下方へ突出させ、この突出部における下面後部に、座体の起立状態において、前下方に開口する第２手掛部を設ける。
【００１０】
（５）上記(４)項において、座体の下面前部における突出部の下面を、下方へ最も突出する部位から後方に向けて漸次上昇するように形成し、この漸次上昇する下面に、第２手掛部を形成する。
【００１１】
（６）上記（１）項〜(５)項のいずれかにおいて、座体を、座本体と、この座本体の下面を覆う座下面カバーとを備えるものとし、前記座下面カバーに第１手掛部または第２手掛部を形成する。
【発明の効果】
【００１２】
本発明によると、次のような効果が奏せられる。
上記(１)項に記載の発明によれば、座体の後部に、起立状態において、少なくとも下方に開口する第１手掛部を設けてあるため、持ち運ぶ際には、前記第１手掛部に手を掛けて容易に持ち運ぶことができる。
この第１手掛部は、下方に開口しているため、下方からの手掛けが容易であるとともに、着座状態にしたときには、後方に開口しているため、前方から見える虞がなく、外観上の美観を損なうこともない。
【００１３】
上記(２)項に記載の発明によれば、第１手掛部が、座体の下面後部に、座体の起立状態において、下方及び後方に開口する溝部を設けて形成されているため、開口面積が大きくなるとともに、溝部として形成されているため、手掛けが容易である。
【００１４】
上記(３)項に記載の発明によれば、座体の下面後部が、後方視において下向きに突出する弓状に形成されているため、下方および後方に開口する第１手掛部としての溝部を容易に形成できる。
【００１５】
上記(４)項に記載の発明によれば、座体の下面前部に設けた突出部における下面後部に第２手掛部が設けられているため、この第２手掛部に手を掛けて、第１手掛部に手を掛ける場合よりも椅子を低い位置にして、容易に持ち運ぶことができる。
【００１６】
また、この第２手掛部は、突出部の下面後部に設けられているため、着座状態にしたときに、前方から見える虞がなく、外観上の美観を損なうこともない。
【００１７】
さらに、この第２手掛部に手を掛けて座体を起立状態から着座状態に容易に回動操作することもできる。
【００１８】
上記(５)項に記載の発明によれば、座体を着座状態にしたときに、第２手掛部を前方から確実に見える虞がないようにすることができる。
【００１９】
上記(６)項に記載の発明によれば、第１手掛部または第２手掛部を、これらの手掛部の形成が容易な座下面カバーに設けたので、前記手掛部を座体に設ける必要がない。
【発明を実施するための最良の形態】
【００２０】
以下、本発明を実施例に基づいて詳細に説明する。
図１は、本発明を実施した椅子を、座体を起立状態に回動させたときの斜視図、図２は、図１に示す椅子の分解斜視図、図３は、要部拡大分解斜視図、図４は、座下面カバーを取り外した状態の正面図、図５は、座体を、起立状態にしたときの中央縦断面図、図６は、座体を、着座状態にしたときの中央縦断面図、図７は、座体の中央縦断面図、図８は、張り材を、背凭れフレームに被覆する状態を示す要部正面図、図９は、座下面カバーの上方斜視図である。
【００２１】
図１、図２に示すように、本発明の椅子は、脚体１の後部に、背凭れフレーム２が立設されている。脚体１は、逆Ｖ字状の左右の側脚３、３の上端が、左右方向を向く枢軸４により連結されて形成されている。
脚体１の上部左右には、肘受け５が、ねじ６および固定補助具７により、取付けられている。
【００２２】
背凭れフレーム２は枠状をなし、左右の枠材２ａ、２ａの下部には、それぞれ前方を向く取付部８が設けられ、この取付部８を介して、背凭れフレーム２が脚体１に取付けられている。
【００２３】
背凭れフレーム２は、合成樹脂製などの弾性を有する張り材９によって被覆されている。
【００２４】
図２、図８に示すように、張り材９は、下方に開口９ａを有する袋状をなし、この開口９ａを利用して、張り材９が上方から背凭れフレーム２に被覆されている。
【００２５】
背凭れフレーム２における左右の枠材２ａ、２ａの下部には、それぞれ取付金具１０が固着され、この取付金具１０は、内方に向けて延設された取付片１０ａを備えている。
【００２６】
この取付片１０ａには、正面視においてほぼ方形状の硬質な弾性体からなる板材１１の左右の下隅部が、ねじ１２により固着されており、着座者による前方からの荷重によって後方に弾性変形しうるようになっている。
【００２７】
板材１１は、ポリプロピレン樹脂により形成されるとともに、着座者の腰部への良好な押圧力を付与するため、側面視において、前向きのくの字形状をなし、かつ左右方向の中央部に対する後向きの負荷に対して、着座者を左右から抱き込むように撓ませるために、平面視において、後向きに突出する緩やかな弧状に形成されている。
【００２８】
板材１１は、背凭れフレーム２における左右の枠材２ａ、２ａ間であって、張り材９の前面９ｂと後面９ｃ間の空間内に位置している。
【００２９】
板材１１は、ランバーサポート機能や後方からの衝撃に対する防護板としての機能を有する。
【００３０】
ランバーサポート機能を充分に発揮させるには、本実施形態のように、硬質な弾性体からなる板材１１の左右の下隅部を、ねじ１２等により固着するなど、板材１１の一部、特に下部を背凭れフレーム２に固着し、着座者の腰部に対応する板材１１の部分が、前方からの荷重によって、適度に後方に弾性変形しうるようにすることが望ましい。この場合、板材１１の左右方向の幅は、背凭れフレーム２における左右の枠材２ａ、２ａ間の間隔とほぼ同一であることは必ずしも必要ではなく、多少狭いものであってもよい。
【００３１】
また、板材１１の上下方向の長さは、左右の枠材２ａ、２ａ間の空間における下端部から、少なくとも、腰を支持する枠材２ａの前向き屈曲部に対応する位置まで達する大きさが必要であり、これよりも上方に向けて長さの大きいものとすれば、防護板としての機能も高まる。
【００３２】
また、後方からの衝撃に対する防護板としての機能を充分に発揮させるには、板材１１の左右方向の幅を、背凭れフレーム２における左右の枠材２ａ、２ａ間の間隔とほぼ同一にするとともに、足蹴りなどに対する耐衝撃性を有する素材からなり、かつ衝撃を吸収し、着座者に対する衝撃を可及的に小さくする板材であることが望ましい。
【００３３】
また、板材１１の上下方向の長さは、左右の枠材２ａ、２ａ間の空間における下端部から、腰を支持する枠材２ａの前向き屈曲部に対応する位置よりも、上方に向けて高さの高い位置に達する大きさであることが望まれる。
【００３４】
耐衝撃性を向上させるとともに、着座者に対する衝撃を可及的に小さくするには、ある程度硬質な弾性体からなる板材を選択するとともに、たとえば板材に補強用のリブを設けたり、板材の背凭れフレームへの固着を、左右それぞれ２箇所とし、上方の固着を弾性を有する固着手段、たとえば弾性を有する帯状片を用いて固着したり、あるいは、袋状の張り材を用いるなどの工夫を施すことが望ましい。
【００３５】
張り材９における下方の開口９ａには、その左右に上方に向けて切り欠かれた切欠部９ｄがあり、この切欠部９ｄを介して、背凭れフレーム２を脚体１に取付けるための取付部８が前方に延びている。
【００３６】
張り材９の開口９ａは、背凭れフレーム２の下枠材２ｂの下方で、紐等の閉塞手段により閉塞され、張り材９が、上方にずれて背凭れフレーム２から脱落しないようになっている。
【００３７】
張り材９は、網体として形成されており、着座者による前方からの荷重によって、後向きに弾性的に伸長するようになっている。
【００３８】
なお、張り材９は、袋状ではなく、一枚物であってもよい。この場合、背凭れフレーム２は、その前面側が張り材によって覆われ、板材１１は、背凭れフレーム２における左右の枠材２ａ、２ａ間であって、張り材の後方空間内に設けられることになる。
【００３９】
座体１３は、図５に示す前端１４ａが上方を向く縦向きの起立状態から、図６に示す横向きの着座状態に回動可能に、脚体１の枢軸４に枢支されている。
【００４０】
図２、図３に示すように、座体１３は、座本体１４と、この座本体１４の下面に固着され、座本体１４を枢軸４に枢支するための軸受部材１５と、座本体１４の下面および軸受部材１５を覆う座下面カバー１６とを備えている。
【００４１】
座本体１４は、着座状態における平面視において、ほぼ方形状をなし、後方がやや幅狭となっている。
【００４２】
軸受部材１５は、同じく着座状態における平面視において、後向きのほぼＴ字状をなす上板１５ａと、この上板１５ａの下面における左右方向の中央において、垂設された２枚の平行な前後方向の垂下片１５ｂ、１５ｂと、上板１５ａの後部において、前記垂下片１５ｂ、１５ｂの外側の左右両側に設けられた側面視Ｕ字状の枢軸受部１５ｃ、１５ｃとより形成されている。左右の枢軸受部１５ｃ、１５ｃは、２枚の平行な垂下片１５ｂ、１５ｂとほぼ等しい間隔だけ離間させて形成されている。
【００４３】
垂下片１５ｂは、枢軸受部１５ｃが位置する部分がＵ字状に切欠かれ、左右の枢軸受部１５ｃ、１５ｃと、垂下片１５ｂ、１５ｂの前記切欠部１５ｄとにより、枢軸４を受けるための左右方向の受け溝が形成されている。
【００４４】
図２、図９に示すように、座下面カバー１６は、着座状態における平面視において、ほぼ方形をなすとともに、底板１６ａは、前方視において下向きに突出する弓状をなし、かつ底板１６ａの後部には、軸受部材１５における枢軸受部１５ｃとの干渉を回避するための側面視Ｕ字状の溝部１６ｂが形成されている。
【００４５】
座体１３を枢軸４に組付けるには、次のようにする。
図３に示すように、軸受１７（図２参照）を枢軸４に嵌合させるとともに、軸受部材１５の枢軸受部１５ｃを下方から枢軸４に嵌合させる。この際、予め枢軸４に溶着されている位置決め部材１８（図２参照）により、軸受部材１５の位置決めを行う。次に、座本体１４を、上方から枢軸４に当てがい、下方からねじ１９により、軸受部材１５を座本体１４に固定する。
【００４６】
次に、図２〜図４、図７に示すように、２本のワイヤー２０、２０を、軸受部材１５における２枚の垂下片１５ｂ、１５ｂ間において、それぞれ一端２０ａをねじ２１により枢軸４に固定し、枢軸４の周方向に沿って配設し、他端２０ｂを前方に位置させる。
【００４７】
次に、左右の垂下片１５ｂ、１５ｂの前部間に係止ピン２２を架設し、この固定部としての係止ピン２２に、２本の巻きばね２３、２３のそれぞれの一端２３ａを固定し、他端２３ｂの遊端を、前記ワイヤー２０の他端２０ｂに連結する。
【００４８】
次に、左右の垂下片１５ｂ、１５ｂの後部間に架設されている架設片１５ｅに、ストッパー受け２４をねじ２５により固定する。このストッパー受け２４は、図６に示す着座状態から、図５に示す起立状態に、座体１３を枢軸４の回りに回動させたときに、枢軸４に溶接されているストッパー２６に当接し、座体１３の回動を規制するものである。
【００４９】
次に、座下面カバー１６を下方からねじ２７をもって、座本体１４に取付けて、座本体１４の下面および軸受部材１５を覆う。
【００５０】
以上のようにして、図７に示すように、付勢手段を、一端２３ａを座体１３の下部に固定し、他端２３ｂを遊端とした巻きばね２３をもって形成するとともに、この巻きばね２３を、着座状態において、前後方向の横向きに保持し、かつ前記遊端２３ｂを、座体１３が枢支された枢軸４に一端２０ａを固定して、枢軸４の周方向に沿って配設したワイヤー２０の他端２０ｂに連結することにより、座体１３を起立状態になる方向に常時付勢する椅子が得られる。
【００５１】
このように座体１３が起立状態になる方向に常時付勢されているため、不使用時においては、図５に示すような起立状態となっており、使用に際しては、着座者が手を用いて、巻きばね２３の付勢力に対抗して、座体１３を枢軸４の回りに回動させて、図６に示すような着座状態にして後に、着座することとなる。使用後は、着座者が座体１３から体を離すと、巻きばね２３の付勢力により、自動的に起立状態に復帰する。
【００５２】
なお、必要に応じて、着座状態を維持するための機構を組み込み、この機構の解除後に、自動的に起立状態に復帰するようにしてもよい。
【００５３】
また、巻きばね２３の付勢力を小さくして、自動的には起立状態に復帰しないが、人が起立状態に復帰させる際に要する力を軽減させるようにしてもよい。
【００５４】
図１、図９に示すように、座下面カバー１６は、下面後部が、後方視において下向きに突出する弓状に形成されるとともに、この下面が弓状に形成された後部に、図５に示す座体１３の起立状態において、下方および後方に開口する溝部２８が設けられて、この溝部２８の後端に第１手掛部２９が形成されている。
【００５５】
図１、図７、図９に示すように、座下面カバー１６の下面前部には、下方へ突出する突出部３０が設けられ、下方へ最も突出する部位３０ａから後方に向けて漸次上昇するように形成されている。この漸次上昇する下面には、第２手掛部３１としての凹部が、図５に示す座体１３の起立状態において、前下方に開口するように設けられている。
【００５６】
第１手掛部２９は、座体１３が起立状態の椅子を持ち運ぶときの手掛部として用いられ、第２手掛部３１は、起立状態にある座体１３を、着座状態にするときの手掛部として用いられる。
【００５７】
なお、本実施例においては、座体１３を構成する一部材である座下面カバー１６に、第１手掛部２９と第２手掛部３１を設けたが、座下面カバー１６を用いない場合には、たとえば座本体１４に両手掛部を設けてもよい。
【００５８】
一般的には、座体１３の後部に、起立状態において、少なくとも下方に開口する第１手掛部を設け、座体１３の下面前部を下方へ突出させ、この突出部における下面後部に、座体の起立状態において、前下方に開口する第２手掛部を設ければよい。
【図面の簡単な説明】
【００５９】
【図１】本発明を実施した椅子を、座体を起立状態に回動させたときの斜視図である。
【図２】図１に示す椅子の分解斜視図である。
【図３】同じく椅子の要部拡大分解斜視図である。
【図４】椅子の座下面カバーを取り外した状態の正面図である。
【図５】椅子の座体を、起立状態にしたときの中央縦断面図である。
【図６】椅子の座体を、着座状態にしたときの中央縦断面図である。
【図７】椅子の座体の中央縦断面図である。
【図８】張り材を、背凭れフレームに被覆する状態を示す要部正面図である。
【図９】座下面カバーの上方斜視図である。
【符号の説明】
【００６０】
１    脚体
２    背凭れフレーム
２ａ  左右の枠材
２ｂ  下枠材
３    側脚
４    枢軸
５    肘受け
６    ねじ
７    固定補助具
８    取付部
９    張り材
９ａ  開口
９ｂ  前面
９ｃ  後面
９ｄ  切欠部
１０    取付金具
１０ａ  取付片
１１    板材
１２    ねじ
１３    座体
１４    座本体
１４ａ  前端
１５    軸受部材
１５ａ  上板
１５ｂ  垂下片
１５ｃ  枢軸受部
１５ｄ  切欠部
１５ｅ  架設片
１６    座下面カバー
１６ａ  底板
１６ｂ  溝部
１７    軸受
１８    位置決め部材
１９    ねじ
２０    ワイヤー
２０ａ  一端
２０ｂ  他端
２１    ねじ
２２    係止ピン
２３    巻きばね
２３ａ  一端
２３ｂ  他端（遊端）
２４    ストッパー受け
２５    ねじ
２６    ストッパー
２７    ねじ
２８    溝部
２９    第１手掛部
３０    突出部
３０ａ  最も突出する部位
３１    第２手掛部
【図１】
0005355884.tif 000002
【図２】
0005355884.tif 000003
【図３】
0005355884.tif 000004
【図４】
0005355884.tif 000005
【図５】
0005355884.tif 000006
【図６】
0005355884.tif 000007
【図７】
0005355884.tif 000008
【図８】
0005355884.tif 000009
【図９】
0005355884.tif 000010